(57)【特許請求の範囲】
【請求項１】
支柱間に適宜間隔で多数の横桟が取着されてなるパネルの横桟に取付具が取着され、この取付具に棚板が取着されてなる棚に於いて、この取付具の上端部が背面側に折曲されて鈎形の係止部となされ、下端部が背面側に折曲されて曲折片となされ、係止部と曲折片を結ぶ垂直板部の中間部が屈曲突設されて載置部となされ、この取付具の載置部上に棚板が載置されてなる棚板の固定構造において、取付具が金属板を折曲して作製され、中央部が袋状に屈曲突出されるとともにこの突出部の一部が切除されて弾性部となされ、取付部に弾性が付与され、取付具がパネルの横桟間に弾性的に嵌着されたことを特徴とする棚板の固定構造。
【発明の詳細な説明】
【０００１】
【発明の属する技術分野】
本発明は、店舗等で用いられる什器用の棚や家庭での収納等に用いられる棚に関し、支柱間に多数の横桟が取着されたパネルとこのパネルに棚板が取着されてなる棚板の固定構造に関する。
【０００２】
【従来の技術】
従来、実公昭６４−３３９８号には、上下２枚の板片からなり、上板片は垂直板片の上端部が背面側に折り返されて鈎形の係止部が設けられ、垂直板部の下端部が前方にほぼ水平に折り返されて棚受部が設けられており、下板片は垂直板部の上端部が前面側にほぼ水平に折り返されて棚受部が突設されると共に、該棚受部の先端部が上方に曲折されて棚止め部が設けられ、垂直板部の下端部が係止部に相対する如く背面側に曲折されて曲折縁が設けられており、上板片の棚受部と下板片の棚受部とが重ね合わされて接合一体化され、上板片の係止部と下板片の曲折縁がその反発弾性により網状陳列什器の横桟を挟着する如く該横桟に着脱自在に係止されるようになされた網状陳列什器の棚受具が提案されている。
【０００３】
【発明が解決しようとする課題】
しかしながら上記の如き棚受け具を用いた棚板の固定構造に於いては、垂直板部が上板片と下板片とに分割されており、上板片と下板片の夫々の棚受け部で接合一体化されているので、上板片と下板片とはその接合部分を介して反りやすくなっているものの、鈎形係止部と曲折縁が反発弾性で２本の横杆に挟着されるときの反発弾性が充分ではなく、挟着が容易ではないという問題があった。
【０００４】
そこで本発明者は従来の欠点に鑑み鋭意研究の結果、横桟間に容易に取着できる取付具を用いることにより施工性を向上させた棚板の固定構造を提供する。
【０００５】
【課題を解決するための手段】
本発明請求項１記載の棚板の固定構造は、支柱間に適宜間隔で多数の横桟が取着されてなるパネルの横桟に取付具が取着され、この取付具に棚板が取着されてなる棚に於いて、この取付具の上端部が背面側に折曲されて鈎形の係止部となされ、下端部が背面側に折曲されて曲折片となされ、係止部と曲折片を結ぶ垂直板部の中間部が屈曲突設されて載置部となされ、この取付具の載置部上に棚板が載置されてなり、取付具が金属板を折曲して作製され、中央部が袋状に屈曲突出されるとともにこの突出部の一部が切除されて弾性部となされたもので、垂直板部の中央部が屈曲されて載置部が形成されているので、垂直板部の上部と下部が反りやすく、係止部と曲折片がパネルの２本の横桟を挟着するよう反発弾性により係止される。又、取付部に弾性が付与され、取付具がパネルの横桟間に弾性的に嵌着されたもので、取付具により大きな弾性が付与される。
【０００６】
【発明の実施の形態】
以下、図面を参照しながら本発明に付いて説明する。
【０００７】
１はパネルであり、支柱１１間に適宜間隔で横桟１２が取着されパネル１となされている。このパネル１が水平視Ｌ形やコ字形に配設されこのパネル１の横桟１２に取付具２が取着され、この取付具２上に棚板３が載置され棚となされている。取付具２は上端部の係止部２１と下端部の曲折片２２がパネル１の支柱１１間に架設された上下一対の横桟１２に挟着されている。
【０００８】
取付具２は鋼板、ステンレス鋼板、アルミ合金板等の金属板を折曲して作製されている。取付具２の上端部は背面側に折り返され鈎形の係止部２１が設けられ、下端部は背面側に略直角に曲折され、曲折片２２となされている。係止部２１と曲折片２２は垂直板部２３で結ばれ、この垂直板部２３の中間部が垂直板部２３に対し直角に曲折され、先端が鋭角に曲折され、載置部２４となされている。載置部２４の上部は略水平となされ、下部は斜め下方に曲折され垂直板部２３に連結されている。又、載置部２４の下部には矩形の透孔が設けられ弾性が付与され、弾性部２５となされている。この載置部２４の上部には凸部が設けられ係止突部２６となされ、棚板３のズレ止めとなされている。
【０００９】
パネル１は２本の鋼線の間に適宜間隔で鋼線等の金属線からなる横桟１２が挟まれ溶接等で取着され梯形に形成されている。パネル１は塗装や鍍金等適宜表面処理が施される。パネル１は本実施例では２本の鋼線からなる支柱１１間に横桟１２のみが架設された梯形としたが、上下に亘って配設された横桟１２に上下方向に、縦桟が取着された格子状となされてもよい。又、支柱１１は鋼線に限るものではなく、鋼管等の金属管が用いられてもよい。パネル１を構成する支柱１１の下端にはネジ機構等で高さが調整できるアジャスター１３が設けられればさらに好適な棚構造となされる。
【００１０】
棚板３は木板や合成樹脂板等を適宜形状に切断して作製されればよいし、鋼板等の金属板の縁部を折曲して作製されても良い。棚板３の裏面には前記取付具２に形成された係止突部２６に対応した凹溝３１が設けられ、棚板３が取付具２上でズレにくくなされている。又、棚板３は金属線材を格子状に溶接で組み立てたメッシュ棚でもよい。又、棚板３の形状は矩形に限るものではなく、四半円形等の適宜形状となされる。
【００１１】
次に本発明棚板の取付構造の組立方法に付いて説明する。
取付具２をパネル１の任意の横桟１２に対応させ、係止部２１を横桟１２に係止し、曲折縁を前記横桟１２と相隣る下方の横桟１２に押し付けるようにして取付具２の反発弾性を利用して横桟１２間に挟着する。同様にして複数の取付具２をパネル１に取着し、取付具２の載置部２４上に棚板３を載置し、載置部２４先端部に形成された係止突部２６が棚板３の裏面に形成された係止凹部に係止され棚板３のズレが防止される。又、棚板３の位置を変更するとき等棚板３を外すときは取付具２上に載置された棚板３を取り外し、横桟１２間に取着された取付具２を外せばよい。本発明によれば取付具２はパネル１の横桟１２の任意の位置に容易に取着でき、脱着が容易であるので、組立時に棚の取付位置を容易に変更でき、組立が容易である。
【００１２】
【発明の効果】
上述の如く、本発明請求項１記載の棚板の固定構造は、支柱間に適宜間隔で多数の横桟が取着されてなるパネルの横桟に取付具が取着され、この取付具に棚板が取着されてなる棚に於いて、この取付具の上端部が背面側に折曲されて鈎形の係止部となされ、下端部が背面側に折曲されて曲折片となされ、係止部と曲折片を結ぶ垂直板部の中間部が屈曲突設されて載置部となされ、この取付具の載置部上に棚板が載置されてなり、取付具が金属板を折曲して作製され、中央部が袋状に屈曲突出されるとともにこの突出部の一部が切除されて弾性部となされたもので、垂直板部の中央部が屈曲されて載置部が形成されているので、垂直板部の上部と下部が反りやすく、係止部と曲折片がパネルの２本の横桟を挟着するよう反発弾性により係止される。又、取付部に弾性が付与され、取付具がパネルの横桟間に弾性的に嵌着されたもので、取付具により大きな弾性が付与される。
【図面の簡単な説明】
【図１】本発明棚板の固定構造に於けるパネルと取付具の組立状態を示す斜視図である。
【図２】図１の取付具の部分の詳細図である。
【図３】本発明棚板の固定構造に用いられる取付具の実施形態の一例を示す（イ）は正面図、（ロ）は側面図、（ハ）は平面図である。
【図４】本発明棚板の固定構造に用いられる棚板の実施形態の一例を示す（イ）は平面図、（ロ）は側面図である。
【符号の説明】
１    パネル
１１  支柱
１２  横桟
１３  アジャスター
２    取付具
２１  係止部
２２  曲折片
２３  垂直板部
２４  載置部
２５  弾性部
２６  係止突部
３    棚板
３１  凹溝
【図１】
0003548793.tif 000002
【図２】
0003548793.tif 000003
【図３】
0003548793.tif 000004
【図４】
0003548793.tif 000005